(57)【要約】【課題】水封防臭式ワントラップ型の排水機構において、排水管の内側壁面にゴミを付着させないようにする。【解決手段】水封防臭式ワントラップ１において、立設する排水管２０の周りに円環状に水を溜めるトラップ２と共に用いられ、排水管２０の上端の排水口２００を覆い、下端をトラップ２に溜まった水に水没させて、排水管２０の上端側を水封させる防臭ワン３であって、内壁面３２ａに螺旋状凹みで形成される螺旋水路３３を備え、トラップ２に水を流し入れたとき、螺旋水路３３により排水管２０の外壁面２０１と防臭ワン３の内壁面３２ａとの間の水を排水管２０の周りで周回させて排水口２００から排水管２０内に流入させ、さらに、排水管２０に流入した水を排水管２０の内側壁面２０２を周回させながら流下させる、防臭ワン３である。【選択図】図３
2019218736.tif 000002
【特許請求の範囲】
【請求項１】
水封防臭式ワントラップにおいて、立設する排水管の周りに円環状に水を溜めるトラップと共に用いられ、該排水管の上端の排水口を覆い、下端を該トラップに溜まった水に水没させて、該排水管の上端側を水封させる防臭ワンであって、
内壁面に螺旋状凹みで形成される螺旋水路を備え、
該トラップに水を流し入れたとき、該螺旋水路により該排水管の外壁面と該防臭ワンの内壁面との間の水を該排水管の周りで周回させて該排水口から該排水管内に流入させ、さらに、該排水管に流入した水を該排水管の内側壁面を周回させながら流下させる、防臭ワン。
【発明の詳細な説明】
【技術分野】
【０００１】
本発明は、水封防臭式ワントラップに用いる防臭ワンに関する。
【背景技術】
【０００２】
トイレや洗面所などの床に設置される水封防臭式ワントラップ型の排水機構（例えば、特許文献１参照）は、円環状に水を溜めるトラップと、トラップの中心に立設される排水管と、該排水管の排水口を覆いトラップに溜まった水に下端側を水没させる有天壁筒状の防臭ワンとで構成されており、トラップと防臭ワンとによって排水管からの室内への臭気の流入を止めている。
【先行技術文献】
【特許文献】
【０００３】
【特許文献１】特開２００６−１１８３２９号公報
【発明の概要】
【発明が解決しようとする課題】
【０００４】
床面等から水封防臭式ワントラップに水を排水すると、トラップに溜まった水は排水管の外壁面と防臭ワンの内壁面との間を上昇して、排水口から溢れて排水管内に進入して排水される。このように、水封防臭式ワントラップは水が上昇して排水口から溢れて排水がなされることから、排水効率が悪く、また、排水管の側壁にゴミが付着しやすく、付着したゴミによりさらに排水効率が低下するという問題がある。
【０００５】
よって、水封防臭式ワントラップ型の排水機構においては、排水管の少なくとも内壁面にゴミを付着させないようにするという課題がある。
【課題を解決するための手段】
【０００６】
上記課題を解決するための本発明は、水封防臭式ワントラップにおいて、立設する排水管の周りに円環状に水を溜めるトラップと共に用いられ、該排水管の上端の排水口を覆い、下端を該トラップに溜まった水に水没させて、該排水管の上端側を水封させる防臭ワンであって、内壁面に螺旋状凹みで形成される螺旋水路を備え、該トラップに水を流し入れたとき、該螺旋水路により該排水管の外壁面と該防臭ワンの内壁面との間の水を該排水管の周りで周回させて該排水口から該排水管内に流入させ、さらに、該排水管に流入した水を該排水管の内側壁面を周回させながら流下させる、防臭ワンである。
【発明の効果】
【０００７】
本発明に係る防臭ワンは、内壁面に螺旋状凹みで形成される螺旋水路を備えていることから、トラップに水を流し入れたとき、螺旋水路により排水管の外壁面と防臭ワンの内壁面との間の水を排水管の周りで周回させて排水口から排水管内に流入させ、さらに、排水管に流入した水を排水管の内側壁面を周回させながら流下させることができるため、従来の防臭ワンに比べて排水時における排水管の内側壁面に対するゴミの付着を抑制できる。
【図面の簡単な説明】
【０００８】
【図１】防臭ワン、トラップ、及び目皿を備える水封防臭式ワントラップの一例を示す分解斜視図である。
【図２】トラップに水を流し入れたときに、螺旋水路により排水管の外壁面と防臭ワンの内壁面との間の水が排水管の周りで周回しながら上昇していく状態を説明する断面図である。
【図３】排水管に流入した水が排水管の内側壁面を周回しながら流下していく状態を説明する断面図である。
【発明を実施するための形態】
【０００９】
図１に示す水封防臭式ワントラップ１は、例えば、トイレや洗面所などの床、又は台所の流し台等に配設される排水機構であり、立設する排水管２０の周りに円環状に水を溜めるトラップ２と、排水管２０の上端の排水口２００を覆い、下端をトラップ２に溜まった水に水没させて、排水管２０の上端側を水封させる防臭ワン３と、トラップ２の上端側の開口２ａに嵌め込み蓋となる目皿４とを備えている。
【００１０】
トラップ２は、例えば、有底円筒状の外形を備えており、その底部２ｂには排水管２０が貫通して直立している。排水管２０は、円筒状の外形を備えており、その下端側は、トラップ２外の図示しない排水路に連通している。排水管２０の上端の排水口２００の高さ位置は、トラップ２の上端側の開口２ａの高さ位置よりも下方に設定されている。
トラップ２の側壁２ｃの内周面における開口２ａ近傍には、開口２ａに嵌め込まれた目皿４を支持する円環状の支持部２５が形成されている。
【００１１】
防臭ワン３は、例えば、有天壁筒状の外形を備えており、その天壁３０には目皿４のネジ孔４１に螺合する固定ネジ３１が形成されている。防臭ワン３の側壁３２の内壁面３２ａには、螺旋状凹みで上方に延びる螺旋水路３３が図示の例においては１本形成されている。なお、内壁面３２ａを螺旋溝状に切り欠いてなる該螺旋水路３３は、内壁面３２ａに複数本形成されていてもよい。
【００１２】
目皿４は、例えば、円形板状の外形を備えており、複数の排水孔４０が貫通形成されている。目皿４の中心には、ネジ孔４１が形成されており、該ネジ孔４１に防臭ワン３の固定ネジ３１を螺合させることで、目皿４と防臭ワン３とは一体となる。そして、防臭ワン３と一体となった目皿４は、トラップ２の開口２ａに嵌め込まれて、トラップ２の支持部２５によって支持された状態になる。
【００１３】
次に、図２に示すように、例えばトイレや洗面所などの床に設置された状態の水封防臭式ワントラップ１から水を排水した場合の、水封防臭式ワントラップ１内における水の流れについて説明する。
図２において、トラップ２には水（封水）が一定量溜められており、目皿４と一体となっている防臭ワン３は、排水管２０の上端の排水口２００を覆い、下端がトラップ２に溜まった水に水没している。防臭ワン３とトラップ２の底部２ｂとの間には所定の隙間が形成されている。そして、排水管２０内の臭気は、封水によって防臭ワン３内で止められており、水封防臭式ワントラップ１外に漏れ出さない。
【００１４】
図２に示すように、床上からの排水が目皿４の排水孔４０からトラップ２内に流下していくことで、排水管２０の外壁面２０１と防臭ワン３の内壁面３２ａとの間の水の水位が上昇していく。ここで、防臭ワン３の内壁面３２ａには螺旋水路３３が形成されているため、排水管２０の外壁面２０１と防臭ワン３の内壁面３２ａとの間の水は、螺旋水路３３によって排水管２０の外壁面２０１を周回する水流となって上昇していく。
【００１５】
そして、図３に示すように、排水管２０の外壁面２０１と防臭ワン３の内壁面３２ａとの間の水の水位が排水口２００の高さ位置を超えると、排水口２００から排水管２０内に水が流入する。この際、水は排水管２０の外壁面２０１を周回する流れのまま排水管２０内に流入していくため、排水管２０に流入した後も排水管２０の内側壁面２０２を周回しながら流下していく。
【００１６】
従来の水封防臭式ワントラップにおいては、トラップ内の水位が排水口の高さ位置を超えると、排水口の一部分から排水管内に流入していくため、排水管内に流入する水は、排水管の内側壁面中の一部の領域のみを流れる。そのため、水が流れない排水管の内側壁面中の残りの領域にゴミが付着する。さらに、排水管の内側壁面に付着したゴミ等によって、排水管の内側壁面中の一部の領域のみを流れることがより多くなり、それによって、水が流れない排水管の内側壁面中の残りの領域にさらにゴミが付着するという悪循環が生じる場合があった。その結果、付着したゴミにより排水管の排水効率が低下したり、排水管内の掃除を頻繁に行わなければならなかったりした。
【００１７】
一方、本発明に係る防臭ワン３は、上記に説明したように、水が排水管２０に流入した後も排水管２０の内側壁面２０２を周回しながら流下していくため、例え排水管２０内にゴミが付着していたとしても、内側壁面２０２のほとんどの領域を周回しつつ流下する水によって、ゴミが落とされる。そのため、ゴミが排水管２０の内側壁面２０２に付着しにくく、排水管２０の排水効率が低下することもなく、排水管２０内の掃除を頻繁に行わなくても済むようになる。
【００１８】
なお、本発明に係る防臭ワンは上記の例に限定されるものではなく、また、添付図面に図示されている防臭ワン３の構成要素についても、これに限定されず、本発明の効果を発揮できる範囲内で適宜変更可能である。
【符号の説明】
【００１９】
１：水封防臭式ワントラップ
２：トラップ  ２ａ：開口  ２ｂ：底部  ２ｃ：側壁  ２０：排水管  ２００：排水口
２０１：外壁面  ２０２：内側壁面
２５：支持部  
３：防臭ワン  ３０：天壁  ３１：固定ネジ  ３２：側壁  ３２ａ：内壁面  ３３：螺旋流路
４：目皿  ３０：排水孔  ４１：ネジ孔  
【図１】
2019218736.tif 000003
【図２】
2019218736.tif 000004
【図３】
2019218736.tif 000005